【手続補正書】
【提出日】平成24年10月22日(2012.10.22)
【手続補正１】
【補正対象書類名】明細書
【補正対象項目名】発明の名称
【補正方法】変更
【補正の内容】
【発明の名称】シート処理装置、画像形成装置及び画像形成システムの制御方法
【手続補正２】
【補正対象書類名】明細書
【補正対象項目名】０００１
【補正方法】変更
【補正の内容】
【０００１】
本発明は、シートに画像を形成するシート処理装置、画像形成装置及び画像形成システムの制御方法に関する。
【手続補正３】
【補正対象書類名】明細書
【補正対象項目名】００１２
【補正方法】変更
【補正の内容】
【００１２】
本発明は、この点に着目してなされたものであり、画像形成システムの構成に応じて、シート処理の生産性を可及的に向上させることが可能となるシート処理装置、画像形成装置及び画像形成システムの制御方法を提供することを目的とする。
【手続補正４】
【補正対象書類名】明細書
【補正対象項目名】００１３
【補正方法】変更
【補正の内容】
【００１３】
上記目的を達成するため、本発明のシート処理装置は、シートに画像を形成する画像形成装置の下流に接続されるシート処理装置であって、前記シートにパンチ穴をあける穿孔手段と、前記パンチ穴をあける位置を調整するために、前記穿孔手段により穿孔するシートおよび前記穿孔手段のうちの少なくとも一方を移動させる移動手段と、当該シート処理装置の上流にシートの搬送方向に交差する幅方向にシートの位置を補正する補正機構があるか否かを判断する判断手段と、前記判断手段により前記補正機構があると判断されると、前記補正機構がないと判断された場合と比較して、前記シートの搬送間隔が短くなるように前記画像形成装置に指示する制御手段とを有することを特徴とする。
上記目的を達成するため、本発明の画像形成装置は、シートに画像を形成する画像形成手段と、前記画像形成手段に前記シートを給紙する給紙手段と、前記シートにパンチ穴をあける穿孔手段と、前記パンチ穴をあける位置を調整するために、前記穿孔手段により穿孔するシートおよび前記穿孔手段のうちの少なくとも一方を移動させる移動手段と、前記移動手段の上流にシートの搬送方向に交差する幅方向のずれを補正する補正機構があるか否かを判断する判断手段と、前記判断手段による判断の結果、前記補正機構がある場合には、前記補正機構がない場合と比較して、前記シートの給紙間隔が短くなるように前記給紙手段を制御する制御手段と、を有することを特徴とする。
上記目的を達成するため、本発明の画像形成システムの制御方法は、シートに画像を形成する画像形成装置と、前記画像形成装置よりも下流に接続され、シートにパンチ穴をあける穿孔手段と、前記シートおよび前記穿孔手段のうちの少なくとも一方をシートの搬送方向に交差する幅方向へ移動させる移動手段とを有するシート処理装置とを有する画像形成システムの制御方法であって、前記シート処理装置と前記画像形成装置の間に接続される装置の台数を判断する判断ステップと、前記シート処理装置と前記画像形成装置の間に接続される装置の台数が少ないほど、前記画像形成装置から排出されるシートの搬送間隔が短くなるように前記画像形成装置を制御する制御ステップと、を有することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
本発明によれば、画像形成システムの構成に応じて、シート処理の生産性を可及的に向上させることができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２６
【補正方法】変更
【補正の内容】
【００２６】
搬送ローラ対５０３とバッファローラ５０５との間には、横レジシフトユニット（シート移動手段）１００１が設けられている。横レジシフトユニット１００１は、シートＰをオフセットして排紙するシフトソートモードやシートＰにパンチ穴をあけるパンチモードが選択されているときに、シートＰを幅方向の所定の位置にシフトさせながら搬送する。横レジシフトユニット１００１の詳細については後述する。
【手続補正１１】
【補正対象書類名】明細書
【補正対象項目名】００２９
【補正方法】変更
【補正の内容】
【００２９】
同図において、搬送モータＭ１１０３は、ギア１１１６を介して搬送ローラ１１０１ａおよび１１０２ａさらにタイミングベルト１１１５を介して搬送ローラ１００１ａおよび１００２ａに駆動力を与え、従動ローラ１１０１ｂおよび１１０２ｂ並びに従動ローラ１００１ｂおよび１００２ｂ（図４ではそれぞれ対応する搬送ローラ１１０１ａ，１１０２ａ，１００１ａおよび１００２ａの後に隠れている）と協働してシートＰを搬送する。
【手続補正１２】
【補正対象書類名】明細書
【補正対象項目名】００３２
【補正方法】変更
【補正の内容】
【００３２】
さらに後端検知センサ１１１２は、搬送されてきたシートＰを検知するとともに、シートＰの後端がシフトユニット１００１内の搬送ローラ１１０１ａおよび１１０２ａを抜けたことを検知する。
【手続補正１３】
【補正対象書類名】明細書
【補正対象項目名】００７０
【補正方法】変更
【補正の内容】
【００７０】
同図において、まずＣＰＵ５５０は、横レジセンサユニット１１０５をシートＰのサイズ（搬送方向に直交する幅方向のサイズ）ごとに定められた待機位置へ移動させる（ステップＳ３０１）。シートＰのサイズ情報は、ＣＰＵ回路部１５０からフィニッシャ制御部５０１に送信される。シートＰのサイズごとの待機位置は、予めフィニッシャ制御部５０１内のＲＯＭ５５１に記憶されている。
【手続補正１４】
【補正対象書類名】明細書
【補正対象項目名】００７３
【補正方法】変更
【補正の内容】
【００７３】
次にＣＰＵ５５０は、横レジ補正限度値オーバーフラグが“０”か否かを判断する（ステップＳ３０５）。横レジ限度値オーバーフラグの値は、横レジ検知処理による横レジずれの検知結果に基づいて設定される。具体的には、検出された横レジずれ量が上述の印刷間隔及び横レジ補正限度設定処理のいずれかにより設定された横レジ補正限度値を超えていた場合に、横レジ限度値オーバーフラグに“１”が設定される。ＣＰＵ５５０は、横レジ補正限度値オーバーフラグに“１”が設定されていた場合に搬送異常と判断し、次のステップＳ３０６〜Ｓ３０９で異常処理を行う。
【手続補正１５】
【補正対象書類名】明細書
【補正対象項目名】００８６
【補正方法】変更
【補正の内容】
【００８６】
ＣＰＵ５５０は、ステップＳ４０２で、横レジセンサ移動モータＭ１１０６を駆動し、横レジセンサユニット１１０５をＡ方向に移動させる。ここでＡ方向とは、横レジセンサユニット１１０５上の横レジセンサ１１０４がシートＰを検知しなくなる方向であり、図４の矢印４３の方向である。
【手続補正１６】
【補正対象書類名】明細書
【補正対象項目名】００８７
【補正方法】変更
【補正の内容】
【００８７】
次にＣＰＵ５５０は、横レジずれ方向を“Ａ”としてＲＡＭ５５２に記憶させ（ステップＳ４０３）、横レジセンサ１１０４の移動距離のカウントを開始する（ステップＳ４０４）。その後ＣＰＵ５５０は、処理をステップＳ４０９に移行する。
【手続補正１７】
【補正対象書類名】明細書
【補正対象項目名】００８９
【補正方法】変更
【補正の内容】
【００８９】
一方、ＣＰＵ５５０は、ステップＳ４０１で、横レジセンサ１１０４がオフしていると判断した場合には、横レジセンサ移動モータＭ１１０６を駆動し、横レジセンサ１１０４をＢ方向に移動させる（ステップＳ４０５）。ここでＢ方向とは、横レジセンサユニット１１０５上の横レジセンサ１１０４がシートＰを検知する方向であり、図４の矢印４４の方向である。
【手続補正１８】
【補正対象書類名】明細書
【補正対象項目名】００９０
【補正方法】変更
【補正の内容】
【００９０】
次にＣＰＵ５５０は、横レジずれ方向を“Ｂ”としてＲＡＭ５５２に記憶させ（ステップＳ４０６）、横レジセンサ１１０４の移動距離のカウントを開始させる（ステップＳ４０７）。その後ＣＰＵ５５０は、処理をステップＳ４０８に移行する。
【手続補正１９】
【補正対象書類名】明細書
【補正対象項目名】００９２
【補正方法】変更
【補正の内容】
【００９２】
ＣＰＵ５５０は、ステップＳ４１０で、横レジセンサ移動モータＭ１１０６の駆動開始から横レジセンサ１１０４がオフまたはオンするまでのＣＰＵ５５０による横レジセンサ１１０４の移動距離のカウント値Ｘを、横レジずれ量としてＲＡＭ５５２に記憶する。
【手続補正２０】
【補正対象書類名】明細書
【補正対象項目名】００９３
【補正方法】変更
【補正の内容】
【００９３】
次にＣＰＵ５５０は、横レジセンサ移動モータＭ１１０６を停止させ（ステップＳ４１１）、横レジセンサ１１０４の移動距離のカウント値Ｘをクリアする（ステップＳ４１２）。
【手続補正２１】
【補正対象書類名】特許請求の範囲
【補正対象項目名】全文
【補正方法】変更
【補正の内容】
【特許請求の範囲】
【請求項１】
シートに画像を形成する画像形成装置の下流に接続されるシート処理装置であって、
前記シートにパンチ穴をあける穿孔手段と、
前記パンチ穴をあける位置を調整するために、前記穿孔手段により穿孔するシートおよび前記穿孔手段のうちの少なくとも一方を移動させる移動手段と、
当該シート処理装置の上流にシートの搬送方向に交差する幅方向にシートの位置を補正する補正機構があるか否かを判断する判断手段と、
前記判断手段により前記補正機構があると判断されると、前記補正機構がないと判断された場合と比較して、前記シートの搬送間隔が短くなるように前記画像形成装置に指示する制御手段と
を有することを特徴とするシート処理装置。
【請求項２】
前記制御手段は、前記補正機構があると判断されと、前記補正機構がないと判断された場合と比較して、前記移動手段による前記シートおよび前記穿孔手段のうちの少なくとも一方を移動させる最大の距離を短く設定することを特徴とする請求項１に記載のシート処理装置。
【請求項３】
前記幅方向におけるシートの端部を検知する検知手段をさらに有し、前記検知手段により検知されたシートの端部の位置と基準位置との差分が所定値以上であると、前記制御手段は、前記画像形成装置へシートの搬送間隔を広げるよう指示することを特徴とする請求項１記載のシート処理装置。
【請求項４】
前記検知手段により検知されたシートの端部の位置と基準位置との差分が所定値以上であると、前記制御手段は、該シートをエスケープトレイへ排出させることを特徴とする請求項３記載のシート処理装置。
【請求項５】
シートに画像を形成する画像形成手段と、
前記画像形成手段に前記シートを給紙する給紙手段と、
前記シートにパンチ穴をあける穿孔手段と、
前記パンチ穴をあける位置を調整するために、前記穿孔手段により穿孔するシートおよび前記穿孔手段のうちの少なくとも一方を移動させる移動手段と、
前記移動手段の上流にシートの搬送方向に交差する幅方向のずれを補正する補正機構があるか否かを判断する判断手段と、
前記判断手段による判断の結果、前記補正機構がある場合には、前記補正機構がない場合と比較して、前記シートの給紙間隔が短くなるように前記給紙手段を制御する制御手段と、
を有することを特徴とする画像形成装置。
【請求項６】
前記制御手段は、前記補正機構があると判断されと、前記補正機構がないと判断された場合と比較して、前記移動手段による前記シートおよび前記穿孔手段のうちの少なくとも一方を移動させる最大の距離を短く設定することを特徴とする請求項５に記載の画像形成装置。
【請求項７】
前記幅方向におけるシートの端部を検知する検知手段をさらに有し、前記検知手段により検知されたシートの端部の位置と基準位置との差分が所定値以上であると、前記制御手段は、シートの搬送間隔を広げるよう前記給紙手段を制御することを特徴とする請求項５記載の画像形成装置。
【請求項８】
前記制御手段は、前記補正機構がある場合には、前記補正機構がない場合と比較して、前記移動手段による前記シートおよび前記穿孔手段のうちの少なくとも一方を移動させる最大の距離を短く設定することを特徴とする請求項６に記載の画像形成装置。
【請求項９】
シートに画像を形成する画像形成装置と、前記画像形成装置よりも下流に接続され、シートにパンチ穴をあける穿孔手段と、前記シートおよび前記穿孔手段のうちの少なくとも一方をシートの搬送方向に交差する幅方向へ移動させる移動手段とを有するシート処理装置とを有する画像形成システムの制御方法であって、
前記シート処理装置と前記画像形成装置の間に接続される装置の台数を判断する判断ステップと、
前記シート処理装置と前記画像形成装置の間に接続される装置の台数が少ないほど、前記画像形成装置から排出されるシートの搬送間隔が短くなるように前記画像形成装置を制御する制御ステップと、
を有することを特徴とする画像形成システムの制御方法。
【請求項１０】
前記シート処理装置と前記画像形成装置の間に接続される装置の台数が少ないほど、前記移動手段による前記シートおよび前記穿孔手段のうちの少なくとも一方を移動させる最大の距離を短く設定する設定ステップを有することを特徴とする請求項９に記載の画像形成システムの制御方法。
【手続補正２２】
【補正対象書類名】図面
【補正対象項目名】図３
【補正方法】変更
【補正の内容】
【図３】
2011090093.tif 000001
【手続補正２３】
【補正対象書類名】図面
【補正対象項目名】図４
【補正方法】変更
【補正の内容】
【図４】
2011090093.tif 000002
【手続補正２４】
【補正対象書類名】図面
【補正対象項目名】図５
【補正方法】変更
【補正の内容】
【図５】
2011090093.tif 000003
【手続補正２５】
【補正対象書類名】図面
【補正対象項目名】図１０
【補正方法】変更
【補正の内容】
【図１０】
2011090093.tif 000004